(57)【要約】【課題】簡便に基礎体温等を計測可能な身体温度情報端末装置と身体温度情報処理システムを提供する。【解決手段】身体温度情報端末装置１のケーシング２の正面側に体表温度検出部４を取付けると共に、背面側にクリップ３を取付ける。また、体表温度検出部４はケーシング２内に収容された回路基板５のコントロールユニットに接続すると共に、このコントロールユニットを接続部９に接続する。そして、使用者は就寝前に体表温度検出部４を腹部に接触させた状態で身体温度情報端末装置１を腹部と下着との間に挟みクリップ３で固定する。これにより、身体温度情報端末装置１は就寝中の開始時刻から終了時刻までの間に亘って一定時間毎に体温を計測し、記憶する。【選択図】        図２
2004163391.tif 000002
【特許請求の範囲】
【請求項１】
身体に常時装着可能なケーシングと、該ケーシングに設けられ体表の温度を検出する体表温度検出手段と、該体表温度検出手段による体表温度検出データを一定の時間間隔で読込むデータ読込み手段と、該データ読込み手段よって読込んだ体表温度検出データに基づく体表温度情報を記憶する記憶手段とを備え、一定期間に亘る身体温度の変動を記録する構成としてなる身体温度情報端末装置。
【請求項２】
前記ケーシングには、前記体表温度検出手段を身体のうち身体温度の変動が反映され易く、外気温度変動に影響され難い部位に装着するための装着手段を設けてなる請求項１に記載の身体温度情報端末装置。
【請求項３】
前記データ読込み手段は、時刻を計時するタイマを備え、予め設定された開始時刻から終了時刻までの間に亘って一定の時間間隔で体表温度検出データを読込む構成とし、
前記ケーシングには前記記憶手段によって記憶した複数の体表温度情報のうち最高温度となるものを前記開始時刻から終了時刻までの代表温度として選択する代表温度選択手段を設けてなる請求項１または２に記載の身体温度情報端末装置。
【請求項４】
前記ケーシングには外気の温度を検出する外気温度検出手段を設け、前記データ読込み手段は前記体表温度検出手段による体表温度検出データと一緒に該外気温度検出手段による外気温度検出データを一定の時間間隔で読込み、前記記憶手段は前記体表温度情報に加えて該データ読込み手段によって読込んだ外気温度検出データに基づく外気温度情報を記憶する構成としてなる請求項１または２に記載の身体温度情報端末装置。
【請求項５】
前記ケーシングには前記外気温度情報を用いて体表温度情報を修正した修正温度情報を演算する温度情報修正手段を設けてなる請求項４に記載の身体温度情報端末装置。
【請求項６】
前記データ読込み手段は、時刻を計時するタイマを備え、予め設定された開始時刻から終了時刻までの間に亘って一定の時間間隔で体表温度検出データと外気温度検出データとを読込む構成とし、
前記ケーシングには前記体表温度情報と外気温度情報とを用いて前記開始時刻から終了時刻までの代表温度を特定する代表温度特定手段を設け、
該代表温度特定手段は、前記外気温度情報を用いて体表温度情報を修正した修正温度情報を演算する温度情報修正手段と、前記時間間隔毎の体表温度情報の時間的変動幅と外気温度情報の時間的変動幅とを演算する変動幅演算手段と、該変動幅演算手段による２つの時間的変動幅を用いて熱平衡状態か否かを判定する熱平衡状態判定手段と、該熱平衡状態判定手段によって熱平衡状態であると判定したときに当該時刻の修正温度情報を代表温度候補として抽出する代表温度候補抽出手段と、前記代表温度候補のうち最高温度となるものを代表温度として選択する代表温度選択手段とによって構成してなる請求項４に記載の身体温度情報端末装置。
【請求項７】
前記装着手段は前記ケーシングの背面側に位置して前記ケーシングを衣類に固定するためのクリップによって構成し、
前記体表温度検出手段は体表に接触可能な前記ケーシングの正面側に配置し、前記外気温度検出手段は前記クリップに覆われた状態で前記ケーシングの背面側に配置する構成としてなる請求項４，５または６に記載の身体温度情報端末装置。
【請求項８】
前記記憶手段は、予め設定された基準温度数値と前記体表温度検出データの数値との差分値を前記体表温度情報として記録し、前記基準温度数値と前記外気温度検出データの数値との差分値を前記外気温度情報として記録する構成としてなる請求項４，５，６または７に記載の身体温度情報端末装置。
【請求項９】
前記基準温度数値は、外部から更新可能な構成としてなる請求項８に記載の身体温度情報端末装置。
【請求項１０】
前記ケーシングには、前記記憶手段によって記憶した体表温度情報と外気温度情報とを外部に出力する温度情報出力手段を設けてなる請求項４，５，６，７，８または９に記載の身体温度情報端末装置。
【請求項１１】
前記体表温度検出手段は、メッシュ状のシート部材によって覆う構成としてなる請求項１，２，３，４，５，６，７，８，９または１０に記載の身体温度情報端末装置。
【請求項１２】
前記体表温度検出手段は、前記ケーシングから突出して体表に接触可能に設けられた熱伝導性を有するカバー部材と、該カバー部材によって覆われ周囲の温度に応じた信号を出力する測温素子と、該測温素子とカバー部材との間に設けられた熱伝導部材とによって構成してなる請求項１，２，３，４，５，６，７，８，９，１０または１１に記載の身体温度情報端末装置。
【請求項１３】
身体に常時装着可能なケーシングと、該ケーシングに設けられ体表の温度を検出する体表温度検出手段と、時刻を計時するタイマを備えて予め設定された開始時刻から終了時刻までの間に亘って該体表温度検出手段による体表温度検出データを一定の時間間隔で読込むデータ読込み手段と、該データ読込み手段よって読込んだ検出データに基づく体表温度情報を記憶する記憶手段と、該記憶手段によって記憶した体表温度情報を外部に出力する温度情報出力手段とからなる身体温度情報端末装置を有し、
該身体温度情報端末装置の温度情報出力手段を用いて前記記憶手段に記憶された体表温度情報を取得する温度情報取得手段と、該温度情報取得手段によって取得した体表温度情報のうち最高温度となるものを前記開始時刻から終了時刻までの代表温度として選択し、該代表温度を分析する分析手段と、該分析手段によって分析した分析結果を視覚情報および／または音声情報として外部に出力する分析結果出力手段とを備えてなる身体温度情報処理システム。
【請求項１４】
身体に常時装着可能なケーシングと、該ケーシングに設けられ体表の温度を検出する体表温度検出手段と、前記ケーシングに設けられ外気の温度を検出する外気温度検出手段と、前記体表温度検出手段による体表温度検出データと外気温度検出手段による外気温度検出データとを一定の時間間隔で一緒に読込むデータ読込み手段と、該データ読込み手段よって読込んだ体表温度検出データに基づく体表温度情報を記憶し、外気温度検出データに基づく外気温度情報を記憶する記憶手段と、該記憶手段によって記憶した体表温度情報と外気温度情報を外部に出力する温度情報出力手段とからなる身体温度情報端末装置を有し、
該身体温度情報端末装置の温度情報出力手段を用いて前記記憶手段に記憶された体表温度情報と外気温度情報を取得する温度情報取得手段と、該温度情報取得手段によって取得した体表温度情報と外気温度情報を分析する分析手段と、該分析手段によって分析した分析結果を視覚情報および／または音声情報として外部に出力する分析結果出力手段とを備えてなる身体温度情報処理システム。
【請求項１５】
前記分析手段は前記外気温度情報を用いて体表温度情報を修正した修正温度情報を演算する温度情報修正手段を備える構成としてなる請求項１４に記載の身体温度情報処理システム。
【請求項１６】
前記データ読込み手段は、時刻を計時するタイマを備え、予め設定された開始時刻から終了時刻までの間に亘って一定の時間間隔で体表温度検出データと外気温度検出データとを読込む構成とし、
前記分析手段は、前記外気温度情報を用いて体表温度情報を修正した修正温度情報を演算する温度情報修正手段と、前記時間間隔毎の体表温度情報の時間的変動幅と外気温度情報の時間的変動幅とを演算する変動幅演算手段と、該変動幅演算手段による２つの時間的変動幅を用いて熱平衡状態か否かを判定する熱平衡状態判定手段と、該熱平衡状態判定手段によって熱平衡状態であると判定したときに当該時刻の修正温度情報を代表温度候補として抽出する代表温度候補抽出手段と、前記代表温度候補のうち最高温度となるものを代表温度として選択する代表温度選択手段とを備える構成としてなる請求項１４に記載の身体温度情報処理システム。
【請求項１７】
前記分析結果出力手段による分析結果を取得した使用者から利用料金を徴収してなる請求項１３，１４，１５または１６に記載の身体温度情報処理システム。
【発明の詳細な説明】
【０００１】
【発明の属する技術分野】
本発明は、身体に常時装着し女性特有の月経周期やホルモンバランスのリズムなどの根拠となる情報を計測収集する身体温度情報端末装置および該身体温度情報端末装置によって収集した温度情報を管理、分析し、各種の情報配信を行う身体温度情報処理システムに関する。
【０００２】
【従来の技術】
従来、妊娠や避妊の目安となる周期を知る目的で女性のホルモンバランス状況を把握するため、基礎体温の日ごとの変動を数ヶ月間に渡って追跡記録し、その変動周期や変動幅を数値的に分析する方法が行なわれてきた。本来基礎体温というものは一日の内でもっとも新陳代謝の少ない就寝中の体温を計測することが望ましいが、就寝中に体温測定を行なうことが一般的に困難であるため、起床時の体温を計測し基礎体温の代わりに用いてきた（例えば、特許文献１参照）。
【０００３】
【特許文献１】
特開平１１−３１６１６１号公報
【０００４】
【発明が解決しようとする課題】
ところで、従来技術では、基礎体温を測定する際には、毎朝一定時刻に起床し、使用者が能動的に測定動作を行い続ける必要があった。この測定動作とは、体温計を舌下、脇下などの測定部位に密着させ、熱平衡に達するまで、または熱平衡に達することが計算上求められる時間まで、体を動かさずに保持しつづけるというものである。そもそも毎朝欠かさずに一定時刻に起床することは今日の生活習慣を顧みても継続することが非常に困難であり、ましてや毎日その測定動作を維持することは、使用者に非常な苦痛を強いるものである。また、測定部位からずれてしまったり、計測を忘れてしまったりする可能性が高く、誤ったデータやデータ抜けも発生し易い。
【０００５】
基礎体温の変動を記録し、変動周期や変動幅を分析するための改善策として、計測情報を蓄積し表示する機器や、外部装置に情報を蓄積し分析、情報の配信を行う方法も実現したが、計測の方法自体は、依然毎朝一定時刻に起床し、使用者が能動的に測定を行う以外にはなく、継続的な利用には煩わしさがあった。
【０００６】
また、従来の基礎体温計では、測定開始から測定完了あるいは同定までを速くする、すなわち温度変化に対して俊敏に反応する目的で、測温素子を含むその支持構造および被覆構造は、できる限り小型にかつ熱抵抗を小さくしたものであった。このため、測定中における測温素子と測定部位の多少のずれ動きや外気の流入によって測定点の温度が俊敏に変化してしまい、却って測定データのゆらぎを誘発し易いという問題があった。
【０００７】
本発明は上述した従来技術の問題に鑑みなされたもので、本発明の目的は、毎朝定時に基礎体温を計測する煩わしさを解消できる身体温度情報端末装置および身体温度情報処理システムを提供することにある。
【０００８】
【課題を解決するための手段】
上述した課題を解決するために、請求項１の発明による身体温度情報端末装置は、身体に常時装着可能なケーシングと、該ケーシングに設けられ体表の温度を検出する体表温度検出手段と、該体表温度検出手段による体表温度検出データを一定の時間間隔で読込むデータ読込み手段と、該データ読込み手段よって読込んだ体表温度検出データに基づく体表温度情報を記憶する記憶手段とを備え、一定期間に亘る身体温度の変動を記録する構成としている。
【０００９】
このように構成したことにより、使用者はケーシングを身体に装着した状態で就寝することができる。このとき、体表温度検出手段は就寝中の使用者の体表の温度を検出し、データ読込み手段は、例えば５分毎のように一定の時間間隔で体表温度検出手段による体表温度検出データを読込む。そして、記憶手段はデータ読込み手段よって読込んだ体表温度検出データに基づく体表温度情報を記憶するから、例えば数時間から数日間等の一定期間に亘る身体温度の変動を記録することができると共に、この体表温度情報を用いることによって使用者の基礎体温の変動幅や周期を正確に求めることができる。
【００１０】
請求項２の発明は、ケーシングには、体表温度検出手段を身体のうち身体温度の変動が反映され易く、外気温度変動に影響され難い部位に装着するための装着手段を設けたことにある。
【００１１】
これにより、ケーシングを例えば腹部のように身体温度の変動が反映され易く、外気温度変動に影響され難い身体的部位に常時装着できる。特に、腹部に取付ける場合には、装着手段を用いて肌と接触する例えば下着等の衣類に容易に取付けることが可能となると共に、ケーシングを当該衣類で覆うことができる。このため、体表温度検出手段を用いて衣類で保温されている身体の測定部位（腹部）の温度を測定することができると共に、衣類によって外気温度の影響を軽減することができ、正確な体表の温度を検出することができる。
【００１２】
請求項３の発明は、データ読込み手段は、時刻を計時するタイマを備え、予め設定された開始時刻から終了時刻までの間に亘って一定の時間間隔で体表温度検出データを読込む構成とし、ケーシングには記憶手段によって記憶した複数の体表温度情報のうち最高温度となるものを前記開始時刻から終了時刻までの代表温度として選択する代表温度選択手段を設ける構成としている。
【００１３】
これにより、データ読込み手段は、設定された開始時刻から終了時刻までの間に亘って一定の時間毎に体表温度検出データを読込むことができ、記憶手段はこの検出データに基づく複数時刻での体表温度情報を記憶することができる。また、データ読込み手段はタイマを備えるから、検出データを読込んだ時刻を検出データと一緒に記憶することもできる。さらに、代表温度選択手段は複数の体表温度情報のうちで最高温度となるものを選択するから、使用者の体温によって体表温度検出手段が十分に温められた状態で、このときの体表温度情報を例えば就寝中の代表温度として特定することができる。このため、代表温度を使用者の身体温度に正確に対応させることができ、代表温度の信頼性を高めることができる。
【００１４】
請求項４の発明は、ケーシングには外気の温度を検出する外気温度検出手段を設け、データ読込み手段は体表温度検出手段による体表温度検出データと一緒に該外気温度検出手段による外気温度検出データを一定の時間間隔で読込み、記憶手段は前記体表温度情報に加えて該データ読込み手段によって読込んだ外気温度検出データに基づく外気温度情報を記憶する構成としている。
【００１５】
これにより、体表温度検出手段によって体表の温度を検出するのに加えて、外気温度検出手段によって外気の温度を検出することができる。そして、データ読込み手段は体表温度検出データと外気温度検出データとを一定の時間間隔で一緒に読込み、記憶手段は体表温度検出データによる体表温度情報と外気温度検出データによる外気温度情報とを記憶するから、体表温度情報が外気の影響によって変動する場合であっても、外気温度検出データを用いて体表温度情報を修正することができる。
【００１６】
この場合、請求項５の発明のように、ケーシングには外気温度情報を用いて体表温度情報を修正した修正温度情報を演算する温度情報修正手段を設ける構成としてもよい。
【００１７】
請求項６の発明では、データ読込み手段は、時刻を計時するタイマを備え、予め設定された開始時刻から終了時刻までの間に亘って一定の時間間隔で体表温度検出データと外気温度検出データとを読込む構成とし、前記ケーシングには前記体表温度情報と外気温度情報とを用いて前記開始時刻から終了時刻までの代表温度を特定する代表温度特定手段を設け、該代表温度特定手段は、前記外気温度情報を用いて体表温度情報を修正した修正温度情報を演算する温度情報修正手段と、前記時間間隔毎の体表温度情報の時間的変動幅と外気温度情報の時間的変動幅とを演算する変動幅演算手段と、該変動幅演算手段による２つの時間的変動幅を用いて熱平衡状態か否かを判定する熱平衡状態判定手段と、該熱平衡状態判定手段によって熱平衡状態であると判定したときに当該時刻の修正温度情報を代表温度候補として抽出する代表温度候補抽出手段と、前記代表温度候補のうち最高温度となるものを代表温度として選択する代表温度選択手段とによって構成している。
【００１８】
これにより、データ読込み手段は、設定された開始時刻から終了時刻までの間に亘って一定の時間間隔毎に体表温度検出データと外気温度検出データとを読込むことができ、記憶手段はこれらの検出データに基づく複数時刻での温度情報を記憶することができる。また、データ読込み手段はタイマを備えるから、検出データを読込んだ時刻を検出データと一緒に記憶することもできる。
【００１９】
また、熱平衡状態判定手段は、例えば体表温度情報の時間的変動幅と外気温度情報の時間的変動幅との二乗和が予め決められた判定値よりも小さいときには、ケーシング等は温度変化が少ない熱平衡状態にある判定する。これにより、代表温度候補抽出手段は、このときの修正温度情報を代表温度候補として抽出する。そして、代表温度選択手段は代表温度候補のうちで最高温度となるものを選択するから、使用者の体温によってケーシング、体表温度検出手段等が十分に温められた熱平衡状態の修正温度情報を例えば就寝中の代表温度として特定することができる。この結果、代表温度を使用者の身体温度に正確に対応させることができ、代表温度の信頼性を高めることができる。
【００２０】
請求項７の発明では、装着手段はケーシングの背面側に位置して前記ケーシングを衣類に固定するためのクリップによって構成し、体表温度検出手段は体表に接触可能な前記ケーシングの正面側に配置し、外気温度検出手段は前記クリップに覆われた状態で前記ケーシングの背面側に配置する構成としている。
【００２１】
これにより、ケーシングを挟んで体表温度検出手段と外気温度検出手段とを反対側に配置することができるから、体表温度検出手段が使用者の体表に接触したときには、外気温度検出手段を使用者の体表に対して確実に非接触な状態にでき、外気温度検出手段によって外気温度を正確に検出することができる。また、外気温度検出手段をクリップによって覆うから、寝返り時等に外気温度検出手段が使用者の腕等に接触するのをクリップによって防ぐことができ、外気温度検出データの信頼性を高めることができる。また、クリップによって外気温度検出手段を保護することができるから、外気温度検出手段の破損を防止でき、信頼性、耐久性を高めることができる。
【００２２】
請求項８の発明では、記憶手段は、予め設定された基準温度数値と体表温度検出データの数値との差分値を体表温度情報として記録し、基準温度数値と外気温度検出データの数値との差分値を外気温度情報として記録する構成としている。
【００２３】
この場合、例えば月経等に基づく体温の変動幅は最大で±０．３℃程度である。また、環境変化による影響や１日のうちの体表温度の変動を考慮すると、体表温度検出手段によって検出される体表の温度は、その平均的な値に対して±数度程度の変動がみられる。また、外気温度検出手段もケーシングを通じて使用者の体表温度によって温められるから、外気温度検出手段による外気温度検出データは体表温度検出手段による体表温度検出データに近い値となる。
【００２４】
このため、例えば使用者の平均的な体表温度等に基準温度数値を設定することによって、体温の変動分だけを体表温度情報や外気温度情報として記憶することができる。この結果、例えば３６．４０℃のように体温情報全てを記憶する場合に比べて、記憶する温度情報のデータ量を低減でき、ＲＡＭ等の記憶素子の容量を小さくし、装置全体を小型化、低コスト化できると共に、記憶する体表温度情報や外気温度情報の量を増加させることができる。
【００２５】
請求項９の発明では、基準温度数値は、外部から更新可能な構成としている。これにより、平均的な体表温度の個人差に応じて基準温度数値を設定できるから、使用者毎に体表温度の平均値が異なる場合でも、体温の変動分だけを温度情報として記憶し、温度情報のデータ量を低減することができる。
【００２６】
請求項１０の発明では、ケーシングには、記憶手段によって記憶した体表温度情報と外気温度情報とを外部に出力する温度情報出力手段を設けている。
【００２７】
これにより、例えば携帯電話、携帯端末、コンピュータ等の外部情報機器に体表温度情報および外気温度情報を出力することができると共に、該外部情報機器をネットワーク網に接続することによって、外部のサーバコンピュータ等を用いて体表温度情報および外気温度情報の分析等を行うことができ、使用者は温度情報に基づく各種のサービスを受けることができる。
【００２８】
請求項１１の発明では、体表温度検出手段は、メッシュ状のシート部材によって覆う構成としている。
【００２９】
これにより、接触感に優れたメッシュ状のシート部材によって体表温度検出手段を覆うから、例えば腹部皮膚表面に体表温度検出手段を接触させたときでも、就寝中の装着による違和感を軽減でき、長期間に亘る毎日の記録を無理なく行うことができる。
【００３０】
請求項１２の発明では、体表温度検出手段は、ケーシングから突出して体表に接触可能に設けられた熱伝導性を有するカバー部材と、該カバー部材によって覆われ周囲の温度に応じた信号を出力する測温素子と、該測温素子とカバー部材との間に設けられた熱伝導部材とによって構成している。
【００３１】
これにより、ケーシングから突出したカバー部材を体表に容易に接触させることができると共に、体表の温度をカバー部材と熱伝導部材を通じて測温素子に低損失で伝達でき、測温素子を用いて体表の温度を正確に検出することができる。
【００３２】
また、請求項１３の発明による身体温度情報処理システムは、身体に常時装着可能なケーシングと、該ケーシングに設けられ体表の温度を検出する体表温度検出手段と、時刻を計時するタイマを備えて予め設定された開始時刻から終了時刻までの間に亘って該体表温度検出手段による体表温度検出データを一定の時間間隔で読込むデータ読込み手段と、該データ読込み手段よって読込んだ体表温度検出データに基づく体表温度情報を記憶する記憶手段と、該記憶手段によって記憶した体表温度情報を外部に出力する温度情報出力手段とからなる身体温度情報端末装置を有し、該身体温度情報端末装置の温度情報出力手段を用いて前記記憶手段に記憶された体表温度情報を取得する温度情報取得手段と、該温度情報取得手段によって取得した体表温度情報のうち最高温度となるものを前記開始時刻から終了時刻までの代表温度として選択し、該代表温度を分析する分析手段と、該分析手段によって分析した分析結果を視覚情報および／または音声情報として外部に出力する分析結果出力手段とによって構成している。
【００３３】
このように構成したことにより、温度情報取得手段を用いて身体温度情報端末装置の記憶手段に記憶した体表温度情報を取得し、分析手段を用いてこの体表温度情報を分析できると共に、分析結果出力手段を用いて、例えば女性の月経周期や女性ホルモンバランス情報等の分析結果を視覚的または聴覚的に外部の携帯電話等に出力することができる。
【００３４】
また、分析手段は複数の体表温度情報のうちで最高温度となるものを代表温度として選択するから、使用者の体温によって体表温度検出手段が十分に温められた状態で、このときの体表温度情報を例えば就寝中の代表温度として特定することができ、代表温度を使用者の身体温度に正確に対応させることができる。この結果、分析手段は、このように特定した代表温度を用いて例えば女性の月経周期や女性ホルモンバランス情報等を正確に分析することができる。
【００３５】
また、請求項１４の発明による身体温度情報処理システムは、身体に常時装着可能なケーシングと、該ケーシングに設けられ体表の温度を検出する体表温度検出手段と、前記ケーシングに設けられ外気の温度を検出する外気温度検出手段と、前記体表温度検出手段による体表温度検出データと外気温度検出手段による外気温度検出データとを一定の時間間隔で一緒に読込むデータ読込み手段と、該データ読込み手段よって読込んだ体表温度検出データに基づく体表温度情報を記憶し、外気温度検出データに基づく外気温度情報を記憶する記憶手段と、該記憶手段によって記憶した体表温度情報と外気温度情報を外部に出力する温度情報出力手段とからなる身体温度情報端末装置を有し、該身体温度情報端末装置の温度情報出力手段を用いて前記記憶手段に記憶された体表温度情報と外気温度情報を取得する温度情報取得手段と、該温度情報取得手段によって取得した体表温度情報と外気温度情報を分析する分析手段と、該分析手段によって分析した分析結果を視覚情報および／または音声情報として外部に出力する分析結果出力手段とを備える構成としている。
【００３６】
このように構成したことにより、温度情報取得手段を用いて身体温度情報端末装置の記憶手段に記憶した体表温度情報と外気温度情報を取得し、分析手段を用いてこれらの体表温度情報と外気温度情報を分析できると共に、分析結果出力手段を用いて、例えば女性の月経周期や女性ホルモンバランス情報等の分析結果を視覚的または聴覚的に外部の携帯電話等に出力することができる。
【００３７】
請求項１５の発明では、分析手段は外気温度情報を用いて体表温度情報を修正した修正温度情報を演算する温度情報修正手段を備える構成としている。
【００３８】
これにより、体表温度情報が外気の影響によって変動する場合であっても、温度情報修正手段は外気温度情報を用いて体表温度情報を修正することができる。
【００３９】
請求項１６の発明では、データ読込み手段は、時刻を計時するタイマを備え、予め設定された開始時刻から終了時刻までの間に亘って一定の時間間隔で体表温度検出データと外気温度検出データとを読込む構成とし、分析手段は、外気温度情報を用いて体表温度情報を修正した修正温度情報を演算する温度情報修正手段と、前記時間間隔毎の体表温度情報の時間的変動幅と外気温度情報の時間的変動幅とを演算する変動幅演算手段と、該変動幅演算手段による２つの時間的変動幅を用いて熱平衡状態か否かを判定する熱平衡状態判定手段と、該熱平衡状態判定手段によって熱平衡状態であると判定したときに当該時刻の修正温度情報を代表温度候補として抽出する代表温度候補抽出手段と、前記代表温度候補のうち最高温度となるものを代表温度として選択する代表温度選択手段とを備える構成としている。
【００４０】
このとき、熱平衡状態判定手段は、例えば体表温度情報の時間的変動幅と外気温度情報の時間的変動幅との二乗和が予め決められた判定値よりも小さいときには、ケーシング等は温度変化が少ない熱平衡状態にある判定する。これにより、代表温度候補抽出手段は、このときの修正温度情報を代表温度候補として抽出する。そして、代表温度選択手段は代表温度候補のうちで最高温度となるものを選択するから、使用者の体温によってケーシング、体表温度検出手段等が十分に温められた熱平衡状態の修正温度情報を例えば就寝中の代表温度として特定することができ、代表温度を使用者の身体温度に正確に対応させることができる。この結果、分析手段は、このように特定した代表温度を用いて例えば女性の月経周期や女性ホルモンバランス情報等を正確に分析することができる。
【００４１】
さらに、請求項１７の発明のように、分析結果出力手段による分析結果を取得した使用者から利用料金を徴収してもよい。
【００４２】
【発明の実施の形態】
以下、本発明の実施の形態による身体温度情報端末装置および身体温度情報処理システムを添付図面に従って詳細に説明する。
【００４３】
まず、図１ないし図９は第１の実施の形態を示し、図において、１は身体温度情報端末装置（以下、端末装置１という）で、該端末装置１は、後述のケーシング２、体表温度検出部４、回路基板５、接続部９等によって大略構成されている。
【００４４】
２は端末装置１の本体（主支持体）をなすケーシングで、該ケーシング２は、図１ないし図６に示すように例えば樹脂材料を用いて略四角形の箱形状に形成され、その内部には後述の回路基板５等が収容されている。また、ケーシング２の正面には、略円形状に貫通した開口２Ａが設けられ、該開口２Ａには後述のカバー部材４Ａが突出して取付けられるものである。
【００４５】
３はカバー部材４Ａを身体のうち身体温度の変動が反映され易く、外気温変動に影響され難い部位（測定部位）として例えば腹部Ａに装着するための装着手段としてのクリップで、該クリップ３は、図２および図５に示すように略Ｌ字形状の片持梁をなしてケーシング２の背面側に取付けられている。また、クリップ３は、その基端側がケーシング２の上部側に固定して取付けられると共に、先端側が自由端となってケーシング２の下部側に向けて延びている。さらに、クリップ３の先端には、ケーシング２との間を狭める抜止め部３Ａが形成されている。
【００４６】
そして、クリップ３は、図１および図６に示すように、使用者Ｈの腹部Ａに配置したときに、ケーシング２との間にショーツ等の下着Ｂを挟むと共に、下着Ｂの縁に引っ掛る（下着Ｂの縁を挟み留める）ことによって、ケーシング２を位置決め固定する構成となっている。これにより、ケーシング２の装着に伴う違和感を軽減することができる。
【００４７】
４は体表の温度を検出する体表温度検出部（体表温度検出手段）で、該体表温度検出部４は、図７に示すように、ケーシング２の開口２Ａに取付けられた金属製のカバー部材４Ａと、該カバー部材４Ａによって覆われ周囲の温度に応じた信号を出力するサーミスタ等からなる測温素子４Ｂと、該測温素子４Ｂとカバー部材４Ａとの間に設けられた熱伝導シート４Ｃ（熱伝導部材）によって構成されている。
【００４８】
そして、カバー部材４Ａは、例えば５ｍｍ〜１５ｍｍ程度の直径寸法をもった略円形の突起状に形成され、開口２Ａに取付けた状態でケーシング２の正面（表面）から突出する。これにより、カバー部材４Ａは、体表に接触可能に設けられている。
【００４９】
また、熱伝導シート４Ｃは熱伝導性を有するシリコン系の材料によってシート状に形成されている。一方、測温素子４Ｂは、支持基板４Ｄの表面に取付けられると共に、熱伝導シート４Ｃに接触しつつ突起状をなすカバー部材４Ａ内に収容されている。そして、支持基板４Ｄは金属プレート等からなる固定部材４Ｅによってカバー部材４Ａに向けて弾性的に押付けられると共に、固定部材４Ｅはケーシング２にネジ止め固定されている。これにより、熱伝導シート４Ｃは、測温素子４Ｂとカバー部材４Ａとに密着し、カバー部材４Ａ側の熱を測温素子４Ｂに低損失な状態で測温素子４Ｂに伝達している。
【００５０】
なお、測温素子４Ｂは、サーミスタ等の単体の素子によって構成してもよく、サーミスタとＡ／Ｄ変換器とを一体化したＩＣチップ等によって構成してもよい。
【００５１】
５はケーシング２の内部に収容された回路基板で、該回路基板５には、図８に示すようにデータ読込み手段および代表温度選択手段としてのマイクロコンピュータ等からなるコントロールユニット６が搭載され、該コントロールユニット６は体表温度検出部４の測温素子４Ｂに接続されると共に、後述の接続部９に接続されている。また、コントロールユニット６には記憶手段として例えばＲＯＭ、ＲＡＭ等からなる記憶部７が設けられている。
【００５２】
ここで、記憶部７には、コントロールユニット６を作動させるプログラムと該プログラムで使用する開始時刻ｔ1、終了時刻ｔ2、時間間隔Δｔ、基準温度数値Ｔ0が予め格納されると共に、コントロールユニット６の作動によって後述の体表温度情報としての差分値ΔＴsおよび代表温度Ｔdが記憶される構成となっている。
【００５３】
このとき、開始時刻ｔ1と終了時刻ｔ2は就寝中の時刻として例えば午前２時（ｔ1＝２：００ａｍ）と午前５時（ｔ2＝５：００ａｍ）とにそれぞれ設定され、時間間隔Δｔは例えば５分から１０分程度の値に設定される。また、基準温度数値Ｔ0は使用者Ｈの腹部Ａの平均的な体表温度の値として例えば３４．００℃程度の値に設定される。なお、開始時刻ｔ1、終了時刻ｔ2、時間間隔Δｔ、基準温度数値Ｔ0は使用者Ｈの個人差等を考慮して可変に設定できる構成となっている。
【００５４】
また、コントロールユニット６は時刻を計時するタイマ８を有している。そして、コントロールユニット６は、ケーシング２に搭載されたコイン型リチウム電池等の電源(図示せず)によって駆動し、例えば電源投入によって記憶部７からプログラムを読出して作動する。これにより、コントロールユニット６は、タイマ８による時刻が開始時刻ｔ1に達すると、開始時刻ｔ1から終了時刻ｔ2までの間に亘って一定の時間間隔Δｔ毎に測温素子４Ｂから体表の温度に応じた体表温度検出データＴsを読込む。そして、コントロールユニット６は、この検出データＴsの数値（測定温度）と基準温度数値Ｔ0との差分値ΔＴsを演算し、該差分値ΔＴsを記憶部７に順次記憶するものである。
【００５５】
なお、体表温度情報は、差分値ΔＴsに限らず、測定温度をなす体表温度検出データＴsそのものであってもよい。また、体表温度情報は、差分値ΔＴsのみならず、該差分値ΔＴsを測定したときの時刻を付属させて、差分値ΔＴsとその測定時刻とを一対の情報として用いる構成としてもよい。
【００５６】
９はケーシング２の側面側に取付けられた温度情報出力手段としての接続部で、該接続部９は、コントロールユニット６に接続された状態で例えばコントロールユニット６と一緒に回路基板５に搭載されている。そして、接続部９は、図９に示すように例えば携帯電話、ＰＨＳ（Personal Handy-phone System）、携帯端末（ＰＤＡ：Personal Digital Assistants／Personal Data Assistants）、コンピュータ等の外部情報機器１０に中継ケーブル１１等を介して接続可能となるように各種のコネクタ等によって構成され、記憶部７に記憶された差分値ΔＴsを外部情報機器に向けて出力するものである。
【００５７】
なお、接続部９は、シリアルな信号を伝送するコネクタであってもよく、パラレルな信号を伝送するコネクタでもよい。即ち、接続部９には、信号の伝送方式、接続対象等に応じたコネクタが適宜選択されるものである。
【００５８】
本実施の形態による身体温度情報端末装置１は上述の如き構成を有するもので、次に、その身体温度情報の測定動作について説明する。
【００５９】
まず、使用者Ｈは、図１および図６に示すように体表温度検出部４のカバー部材４Ａが腹部Ａに接触した状態でケーシング２を腹部Ａと下着Ｂとの間に挟み、クリップ３を用いて下着Ｂにケーシング２を固定する。この状態で使用者Ｈは就寝する。
【００６０】
このとき、電池の装着やスイッチ(図示せず)の閉成によって、コントロールユニット６が駆動すると共に、コントロールユニット６は、記憶部７からプログラムを読み出して実行する。そして、コントロールユニット６は、タイマ８による時刻が午前３時等の開始時刻ｔ1に達するまでそのままの状態で待機する。
【００６１】
次に、タイマ８による時刻が開始時刻ｔ1に到達すると、コントロールユニット６は、例えば５分程度の予め設定された時間間隔Δｔ毎に体表温度検出部４の測温素子４Ｂから測定温度に応じた体表温度検出データＴsを読込む。このとき、コントロールユニット６は、読込んだ体表温度検出データＴsの温度数値と使用者Ｈの平均的な腹部Ａの体表温度等に設定された基準温度数値Ｔ0との差分を演算し、この差分値ΔＴsを記憶部７に順次記憶する。
【００６２】
そして、コントロールユニット６は、このような身体温度の測定動作を時間間隔Δｔ毎に繰返すと共に、タイマ８による時刻が終了時刻ｔ2に到達すると、測定動作を終了する。これにより、使用者Ｈが起床したときには、記憶部７に対して開始時刻ｔ1から終了時刻ｔ2までの一定の時間間隔Δｔ毎の差分値ΔＴsが自動的に記憶されることになる。
【００６３】
次に、コントロールユニット６は、記憶部７に記憶された体表温度の差分値ΔＴsと基準温度数値Ｔ0を用いて、体表の測定温度（体表温度検出データＴs）が日常的な体温による値と考えられる常識的な範囲（例えば、３３℃〜３８℃）に属すか否かを判定する。そして、この範囲に属さない体表温度検出データＴsは不正なデータとして除去すると共に、残余の体表温度検出データＴsのうち最高温度となるものを、開始時刻ｔ1から終了時刻ｔ2までの代表温度Ｔd（就寝した日の代表温度Ｔd）として特定し、記憶部７に記憶する。なお、端末装置１に液晶等の表示部を設けた場合には、この表示部に代表温度Ｔdを表示する構成としてもよい。
【００６４】
最後に、使用者Ｈは、図９に示すように接続部９を携帯電話、携帯端末、コンピュータ等の外部情報機器１０に中継ケーブル１１を介して接続する。このとき、中継ケーブル１１の途中には記憶部７内の差分値ΔＴs、代表温度Ｔdのデータを外部情報機器１０で読取り可能なデータに変換する通信仲介装置１２が接続されている。これにより、記憶部７に記憶された１日分の差分値ΔＴs、代表温度Ｔdを外部情報機器１０に伝送することができるから、外部情報機器１０自体または当該外部情報機器１０を介して接続された外部のサーバコンピュータ等（図示せず）を用いて差分値ΔＴsを分析し、就寝中の体表温度検出データＴsの変動等に基づいて使用者Ｈの体調判断等を行うことができる。
【００６５】
また、例えば外部のサーバコンピュータ等には、使用者Ｈの基礎体温に応じた代表温度Ｔdを数日間または数ヶ月間に亘って保存しておくことができる。この結果、例えば外部のサーバコンピュータ等を用いて数日間または数ヶ月間に亘る基礎体温（代表温度Ｔd）の変化を計測することができるから、基礎体温の変化に基づく月経周期等の情報を正確に分析し、使用者Ｈに伝えることができる。
【００６６】
なお、記憶部７に記憶された差分値ΔＴs、代表温度Ｔdは必ずしも毎日外部情報機器１０に出力する必要はなく、記憶部７の容量に応じて数日間分の差分値ΔＴs等をまとめて外部情報機器１０に出力する構成としてもよい。このように、差分値ΔＴs等を複数日分をまとめて出力することによって、外部情報機器１０に対して差分値ΔＴs等を出力する操作の手間を省くことができる。
【００６７】
また、本実施の形態では、端末装置１内のコントロールユニット６によって代表温度Ｔdを特定するものとしたが、差分値ΔＴsを受け取った外部情報機器１０や外部のサーバコンピュータ等を用いて代表温度Ｔdを特定する構成としてもよい。この場合、コントロールユニット６に対して代表温度Ｔdの特定に伴う処理負担を軽減することができる。
【００６８】
かくして、本実施の形態では、身体に常時装着可能なケーシング２には、体表温度検出部４による体表温度検出データＴsを一定の時間間隔Δｔで読込むコントロールユニット６を設けると共に、該コントロールユニット６よって読込んだ体表温度検出データＴsに基づく差分値ΔＴsを記憶する記憶部７を設ける構成としたから、使用者Ｈはケーシング２を身体に装着した状態で就寝することができ、起床中に比べて身体温度が安定している就寝中の身体温度を測定することができる。
【００６９】
また、コントロールユニット６は、例えば５分程度の一定の時間間隔Δｔ毎に体表温度検出部４による体表温度検出データＴsを読込み、この検出データＴsに基づいて演算した基準温度数値Ｔ0との差分値ΔＴsを記憶部７に記憶するから、就寝中の体温に対応した差分値ΔＴsを用いることによって使用者Ｈの身体温度を正確に求めることができると共に、基礎体温の変動幅や月経周期を正確に把握することができる。
【００７０】
また、ケーシング２にはクリップ３を設けたから、肌と接触する下着にクリップ３を容易に取付けることが可能となると共に、ケーシング２を下着によって覆うことができる。この結果、身体温度の変動が反映され易い内臓の近くにあり、下着等に覆われているために外気温変動に影響され難い腹部Ａに体表温度検出部４を接触させることができるから、下着で保温されている腹部の温度を測定することができると共に、下着によって外気温度の影響を軽減することができ、正確な体表の温度を検出することができる。
【００７１】
さらに、ケーシング２を腹部Ａに装着したときには、身体の他の部位に装着したときに比べて、特に就寝中にケーシング２が測定部位から位置ずれし難くなるため、位置ずれによる測定誤差も軽減することができ、検出精度を高めることができる。
【００７２】
また、記憶部７には基準温度数値Ｔ0と検出データＴsの数値との差分値ΔＴsを体表温度情報として記録する構成としたから、例えば基準温度数値Ｔ0を使用者Ｈの平均的な腹部Ａの体表温度に設定することによって、就寝中の体温の変動分だけを記憶することができる。この結果、記憶する体表温度情報のデータ量を低減でき、ＲＡＭ等の記憶素子の容量を小さくし、装置全体を小型化、低コスト化できると共に、記憶する体表温度情報を増加させることができる。
【００７３】
特に、本実施の形態では、基準温度数値Ｔ0は、外部から更新可能な構成としたから、平均的な体表温度の個人差に応じて基準温度数値Ｔ0を設定でき、使用者Ｈ毎に体表温度の平均値が異なる場合でも、体温の変動分だけを体表温度情報として記憶し、体表温度情報のデータ量を低減することができる。
【００７４】
また、体表温度検出部４は、ケーシング２から突出したカバー部材４Ａと、該カバー部材４Ａによって覆われた測温素子４Ｂと、該測温素子４Ｂとカバー部材４Ａとの間に設けられた熱伝導シート４Ｃとによって構成したから、ケーシング２から突出したカバー部材４Ａを体表に容易に接触させることができると共に、体表の温度をカバー部材４Ａと熱伝導シート４Ｃを通じて測温素子４Ｂに低損失で伝達でき、測温素子４Ｂを用いて体表の温度を正確に検出することができる。
【００７５】
また、コントロールユニット６は開始時刻ｔ1から終了時刻ｔ2までの間に亘って体表温度検出部４から体表温度検出データＴsを読込む構成としたから、コントロールユニット６は、予め設定された深夜等の開始時刻ｔ1から起床前の終了時刻ｔ2までの間に亘って一定の時間間隔Δｔ毎に体表温度検出データＴsを読込むことができ、記憶部７はこの検出データＴsに基づいて就寝中の複数の体表温度情報を自動的に記憶することができる。さらに、コントロールユニット６はタイマ８を備えるから、体表温度検出データＴsを読込んだ時刻を検出データＴsと一緒に記憶することもできる。
【００７６】
また、ケーシング２には、記憶部７に記憶した体表温度情報（差分値ΔＴs）を外部に出力する接続部９を設けたから、接続部９を介して外部情報機器１０に体表温度情報を出力することができると共に、該外部情報機器１０をネットワーク網に接続することによって、外部のサーバコンピュータ等を用いて体表温度情報の分析等の各種のサービスを受けることができる。
【００７７】
さらに、コントロールユニット６は、複数の体表温度検出データＴs（差分値ΔＴs）のうちで最高温度となるものを代表温度Ｔdとして選択するから、使用者Ｈの体温によって体表温度検出部４等の端末装置１全体が十分に温められた状態で、このときの体表温度検出データＴsを就寝した日の代表温度Ｔdとして特定することができる。
【００７８】
即ち、電気毛布、暖房器具等を体温以上の温度設定で使用するような特殊な環境を除けば、体表温度検出データＴsが最高温度よりも低温の場合には、例えば使用者Ｈに装着した直後のように端末装置１が加熱されているときや寝返り等によって使用者Ｈの皮膚から体表温度検出部４が離れて端末装置１が冷却されたときのように、体表温度検出データＴsは身体温度を正確に反映していないのに対し、体表温度検出データＴsのうちで最高温度となるものを代表温度Ｔdとして選択するから、代表温度Ｔdを身体温度（基礎体温）に正確に対応させることができる。この結果、基礎体温に対応した代表温度Ｔdの信頼性を高めることができ、基礎体温の変動幅や月経周期を正確に分析、把握することができる。
【００７９】
次に、図１０ないし図１７は第２の実施の形態を示し、本実施の形態の特徴は、ケーシングの背面側には外気の温度を検出する外気温度検出部を設けたことにある。なお、本実施の形態では、第１の実施の形態と同様の構成要素に同一の符号を付し、その説明を省略するものとする。
【００８０】
２１は外気の温度を検出する外気温度検出部（外気温度検出手段）で、該外気温度検出部２１は、ケーシング２のうち体表温度検出部４とは反対側となる背面側に配設されている。また、外気温度検出部２１は、例えば体表温度検出部４とほぼ同様にケーシング２の開口２Ｂに取付けられた金属製のカバー部材２１Ａと、該カバー部材２１Ａによって覆われ周囲の温度に応じた信号を出力するサーミスタ等からなる測温素子と、該測温素子とカバー部材との間に設けられた熱伝導シート（いずれも図示せず)によって構成されている。そして、カバー部材２１Ａは、使用者Ｈの指等が接触しないように、クリップ３によって覆われると共に、開口２Ｂに取付けた状態でケーシング２の背面からほとんど突出しない構成となっている。
【００８１】
２２はケーシング２の正面側に設けられた液晶等からなる表示部で、該表示部２２は後述のコントロールユニット２５に接続され、例えばコントロールユニット２５によって特定された代表温度Ｔd等を表示するものである。
【００８２】
２３はケーシング２の正面側に設けられた選択十字キー、ボタンスイッチ等からなる入力部で、該入力部２３は後述の開始時刻ｔ1、終了時刻ｔ2、時間間隔Δｔ、基準温度数値Ｔ0等を入力すると共に、端末装置１の駆動、停止等を切換えるものである。
【００８３】
２４はケーシング２の内部に収容された回路基板で、該回路基板２４には、図１４に示すようにデータ読込み手段および代表温度特定手段としてのマイクロコンピュータ等からなるコントロールユニット２５が搭載され、該コントロールユニット２５は、その入力側が体表温度検出部４、外気温度検出部２１、入力部２３に接続されると共に、出力側が表示部２２と接続部９とに接続されている。また、コントロールユニット６には記憶手段として例えばＲＯＭ、ＲＡＭ等からなる記憶部２６が設けられている。
【００８４】
ここで、記憶部２６には、体表と外気の温度をそれぞれ検出した後に代表温度Ｔdを特定するための代表温度特定プログラムおよび入力部２３によって入力された開始時刻ｔ1、終了時刻ｔ2、時間間隔Δｔ、基準温度数値Ｔ0が格納されている。また、記憶部２６には、コントロールユニット２５の作動によって後述の体表温度情報としての差分値ΔＴs、外気温度情報としての差分値ΔＴaおよび代表温度Ｔdが記憶される構成となっている。
【００８５】
このとき、開始時刻ｔ1と終了時刻ｔ2は就寝中の時刻として例えば午前０時（ｔ1＝０：００ａｍ）と午前６時（ｔ2＝６：００ａｍ）とにそれぞれ設定され、時間間隔Δｔは例えば５分から１０分程度の値に設定される。また、基準温度数値Ｔ0は使用者Ｈの腹部Ａの平均的な体表温度の値として例えば３４．００℃程度の値に設定される。なお、開始時刻ｔ1、終了時刻ｔ2、時間間隔Δｔ、基準温度数値Ｔ0は使用者Ｈの個人差等を考慮して可変に設定できる構成となっている。
【００８６】
また、コントロールユニット２５は時刻を計時するタイマ２７を有している。そして、コントロールユニット２５は、ケーシング２に搭載されたコイン型リチウム電池等の電源(図示せず)によって駆動し、例えば入力部２３から駆動を指示する信号が入力されると記憶部２６から代表温度特定プログラムを読出して作動する。これにより、コントロールユニット２５は、タイマ２７による時刻が開始時刻ｔ1に達すると、開始時刻ｔ1から終了時刻ｔ2までの間に亘って一定の時間間隔Δｔ毎に体表温度検出部４（測温素子４Ｂ）から体表の温度に応じた体表温度検出データＴsを読込むと共に、該体表温度検出データＴsと一緒に外気温度検出部２１から外気の温度に応じた外気温度検出データＴaを読込む。
【００８７】
そして、コントロールユニット２５は、これらの検出データＴs，Ｔaの数値（測定温度）と基準温度数値Ｔ0との差分値ΔＴs，ΔＴaを演算し、該差分値ΔＴs，ΔＴa（ΔＴs＝Ｔs−Ｔ0，ΔＴa＝Ｔa−Ｔ0）を記憶部２６に順次記憶する。その後、タイマ２７による時刻が終了時刻ｔ2に達すると、コントロールユニット２５は、就寝した日の代表温度Ｔdとして開始時刻ｔ1から終了時刻ｔ2までの代表温度Ｔdを特定し、表示部２２に表示する。
【００８８】
なお、体表温度情報は、差分値ΔＴsに限らず、測定温度をなす体表温度検出データＴsそのものであってもよい。同様に、外気温度情報は、差分値ΔＴaに限らず、測定温度をなす外気温度検出データＴaそのものであってもよい。
【００８９】
また、体表温度情報、外気温度情報は、差分値ΔＴs，ΔＴaのみならず、該差分値ΔＴs，ΔＴaを測定したときの時刻を付属させて、差分値ΔＴs，ΔＴaとその測定時刻とを一対の情報として用いる構成としてもよい。
【００９０】
本実施の形態による身体温度情報端末装置１は上述の如き構成を有するもので、次に、その代表温度の特定動作について図１０ないし図１７を参照しつつ説明する。
【００９１】
まず、使用者Ｈは、入力部２３から開始時刻ｔ1、終了時刻ｔ2、時間間隔Δｔ、基準温度数値Ｔ0等を入力する。次に、使用者Ｈは、入力部２３のボタンスイッチ等によって代表温度特定プログラム等を起動させた後、第１の実施の形態と同様に、体表温度検出部４のカバー部材４Ａが腹部Ａに接触した状態でケーシング２を腹部Ａと下着Ｂとの間に挟み、クリップ３を用いて下着Ｂにケーシング２を固定する。この状態で使用者Ｈは就寝する。このとき、コントロールユニット２５は、記憶部２６から図１６に示す代表温度特定プログラムを読出して実行する。
【００９２】
まず、ステップ１では、コントロールユニット２５は、タイマ２７による時刻が午前０時等の開始時刻ｔ1に達するまでそのままの状態で待機する。そして、タイマ２７による時刻が開始時刻ｔ1に到達すると、コントロールユニット２５は、例えば１０分程度の予め設定された時間間隔Δｔ毎に体表温度検出部４（測温素子４Ｂ）から測定温度に応じた体表温度検出データＴsを読込むと共に、外気温度検出部２１から測定温度に応じた外気温度検出データＴaを読込む。このとき、コントロールユニット２５は、読込んだ検出データＴs，Ｔaの温度数値と使用者Ｈの平均的な腹部Ａの体表温度等に設定された基準温度数値Ｔ0との差分を演算し、この差分値ΔＴs，ΔＴaを記憶部２６に順次記憶する。
【００９３】
そして、コントロールユニット２５は、このような身体温度および外気温度の測定動作を時間間隔Δｔ毎に繰返した後に、タイマ２７による時刻が終了時刻ｔ2に到達すると、測定動作を終了してステップ２に移行する。これにより、使用者Ｈが起床したときには、記憶部２６に対して開始時刻ｔ1から終了時刻ｔ2までの一定の時間間隔Δｔ毎の差分値ΔＴs，ΔＴaが自動的に記憶されることになる。
【００９４】
次に、ステップ２では、コントロールユニット２５は、記憶部２６に記憶された体表温度による差分値ΔＴsを用いて、体表の測定温度（体表温度検出データＴs）が日常的な体温による値と考えられる常識的な範囲（例えば、３３℃〜３８℃）に属すか否かを判定する。そして、この範囲に属さない体表温度検出データＴsは不正なデータとして除去し、以降の演算には用いないものとする。
【００９５】
次に、ステップ３では、外気温度検出データＴa（差分値ΔＴa）を用いて体表温度検出データＴs（差分値ΔＴs）を修正し、修正体表温度Ｔs′（修正温度情報）として外気温度が予め決められた一定値ＴA（例えば、ＴA＝３３℃）となった場合の体表温度を演算する。
【００９６】
具体的には、図１５に示すように、使用者Ｈの身体から端末装置１の正面側に流入する熱流束ｑと端末装置１の背面側から外部に流出する熱流束ｑとがほぼ一致する熱平衡状態を仮定する。そして、使用者Ｈの皮膚内部で外気の影響を受けない体内温度Ｔiを仮定すると、フーリエの法則により熱流束ｑは数１の式によって表すことができる。
【００９７】
【数１】
2004163391.tif 000003
【００９８】
ここで、λは端末装置１の熱伝導率、λhは使用者Ｈの皮膚内部の熱伝導率、δは端末装置１の厚さ寸法、δhは使用者Ｈの皮膚表面から体内温度Ｔiとなる位置までの深さ寸法をそれぞれ示している。そして、数１の式から熱流束ｑを除去すると、数２の式に示すように、体内温度Ｔiは、体表温度検出データＴsと外気温度検出データＴaとを用いて算出することができる。
【００９９】
【数２】
2004163391.tif 000004
【０１００】
次に、外気温度Ｔaを予め決められた一定温度ＴAとし、このときの体表温度を修正体表温度Ｔs′とすると、体内温度Ｔiは、数２の式と同様に以下の数３の式のように表すことができる。なお、定数Ｋは、各種の物性データ、臨床データ等に基づいて最適な値を予め求めておくことが可能である。
【０１０１】
【数３】
2004163391.tif 000005
【０１０２】
そして、この数３の式に基づいて、外気温度を一定値ＴAとしたときの体表温度（修正体表温度Ｔs′）は、以下に示す数４の式により算出することができる。
【０１０３】
【数４】
2004163391.tif 000006
【０１０４】
この結果、数２および数４の式を用いることによって、外部環境を一定状態にした場合の修正体表温度Ｔs′を演算することができる（図１７参照）。
【０１０５】
次に、ステップ４では、各時間間隔Δt毎の体表温度検出データＴs（差分値ΔＴs）の時間的変動幅ΔＳ（ΔＳ＝Ｔs[i]−Ｔs[i-1]）を演算すると共に、外気温度検出データＴa（差分値ΔＴa）の時間的変動幅ΔＡ（ΔＡ＝Ｔa[i]−Ｔa[i-1]）を演算する。即ち、測定時点第ｉ番目の検出データＴs[i]，Ｔa[i]と第ｉ−１番目の検出データＴs[i-1]，Ｔa[i-1]との差分を時間的変動幅ΔＳ，ΔＡとするものである。
【０１０６】
次に、ステップ５では、以下の数５の式に示すように、ステップ４で演算した時間的変動幅ΔＳ，ΔＡの二乗和を温度平衡指数β（図１７中の破線参照）として用い、この温度平衡指数βが予め決められた零に近い判定値β0（例えば、β0＝０．０１〜０．０９）よりも小さいか否かを判定する。
【０１０７】
【数５】
β＝ΔＳ2＋ΔＡ2
【０１０８】
そして、ステップ５では、図１７に示すように、温度平衡指数βが判定値β0よりも小さい（β＜β0）時刻は、端末装置１は温度変化が少ない熱平衡状態にあると判定し、温度平衡指数βが判定値β0以上（β≧β0）となる時刻は、端末装置１は例えば加熱中または冷却中のような熱非平衡状態であると判定する。
【０１０９】
次に、ステップ６では、ステップ５で熱平衡状態にあると判定した時刻の修正体表温度Ｔs′を代表温度候補として抽出し、熱非平衡状態にあると判定した時刻の修正体表温度Ｔs′は代表温度候補から除外する。
【０１１０】
次に、ステップ７では、ステップ６で抽出した複数の代表温度候補（修正体表温度Ｔs′）の中から最高温度となるものを代表温度Ｔdとして選択する。そして、コントロールユニット２５は、開始時刻ｔ1から終了時刻ｔ2までの代表温度Ｔd（就寝した日の代表温度Ｔd）を表示部２２に表示すると共に、代表温度Ｔdを記憶部２６に記憶し、ステップ８に移って代表温度特定プログラムを終了する。
【０１１１】
最後に、使用者Ｈは、第１の実施の形態と同様に、接続部９を携帯電話、携帯端末、コンピュータ等の外部情報機器１０に中継ケーブル１１を介して接続する。このとき、中継ケーブル１１の途中には記憶部２６内の差分値ΔＴs，ΔＴa、代表温度Ｔd等のデータを外部情報機器１０で読取り可能なデータに変換する通信仲介装置１２が接続されている。これにより、記憶部２６に記憶された１日分の差分値ΔＴs，ΔＴa、代表温度Ｔd等を外部情報機器１０に伝送することができるから、外部情報機器１０自体または当該外部情報機器１０を介して接続された外部のサーバコンピュータ等（図示せず）を用いて差分値ΔＴs，ΔＴaを分析し、就寝中の修正体表温度Ｔs′の変動等に基づいて使用者Ｈの体調判断等を行うことができる。
【０１１２】
また、例えば外部のサーバコンピュータ等には、使用者Ｈの基礎体温に応じた代表温度Ｔdを数日間または数ヶ月間に亘って保存しておくことができる。この結果、外部のサーバコンピュータ等を用いて数日間または数ヶ月間に亘る基礎体温（代表温度Ｔd）の変化を計測することができるから、基礎体温の変化に基づく月経周期等の情報を正確に分析し、使用者Ｈに伝えることができる。
【０１１３】
なお、記憶部２６に記憶された差分値ΔＴs，ΔＴa、代表温度Ｔd等は必ずしも毎日外部情報機器１０に出力する必要はなく、記憶部２６の容量に応じて数日間分の差分値ΔＴs，ΔＴa等をまとめて外部情報機器１０に出力する構成としてもよい。このように、差分値ΔＴs，ΔＴa等を複数日分をまとめて出力することによって、外部情報機器１０に対して差分値ΔＴs，ΔＴa等を出力する操作の手間を省くことができる。
【０１１４】
また、本実施の形態では、端末装置１内のコントロールユニット２５によって代表温度Ｔdを特定するものとしたが、差分値ΔＴs，ΔＴaを受け取った外部情報機器１０や外部のサーバコンピュータ等を用いて代表温度Ｔdを特定する構成としてもよい。この場合、コントロールユニット２５に対して代表温度Ｔdの特定に伴う処理負担を軽減することができる。
【０１１５】
かくして、本実施の形態でも前記第１の実施の形態とほぼ同様の作用効果を得ることができるが、本実施の形態では、ケーシング２の背面側には外気の温度を検出する外気温度検出部２１を設けたから、体表温度検出部４によって体表の温度を検出するのに加えて、外気温度検出部２１によって外気の温度を検出することができる。そして、記憶部２６には体表温度検出データＴsによる差分値ΔＴsと外気温度検出データＴaによる差分値ΔＴaとを記憶するから、差分値ΔＴsが外気の影響によって変動する場合であっても、外気温度検出データＴa（差分値Ｔa）を用いて差分値ΔＴsを修正することができる。
【０１１６】
特に、本実施の形態では、外気温度検出データＴa（差分値ΔＴa）を用いて外部環境が一定状態の体表温度検出データＴsを修正体表温度Ｔs′として演算するから、例えば使用者Ｈが旅行等によって沖縄等の温かい地域から北海道等の寒い地域に移動したときでも、外部環境の変化に影響されず、正確な修正体表温度Ｔs′を算出し、この修正体表温度Ｔs′を用いて基礎体温に対応した正確な代表温度Ｔdを特定することができる。
【０１１７】
また、コントロールユニット２５は、体表温度検出データＴsの時間的変動幅ΔＳと外気温度検出データＴaの時間的変動幅ΔＡとを用いてケーシング２等の温度変化が少ない熱平衡状態にあるか否かを判定し、熱平衡状態のみの修正温度情報Ｔs′を代表温度候補として抽出し、これらの代表温度候補のうちで最高温度となるものを代表温度Ｔdとして選択するから、使用者Ｈの体温によってケーシング２、体表温度検出部４等が十分に温められた熱平衡状態の修正温度情報Ｔs′を就寝した日の代表温度Ｔdとして特定することができる。このため、代表温度Ｔdを使用者の身体温度（基礎体温）に正確に対応させることができるから、代表温度Ｔdを用いて基礎体温の変化に基づく月経周期等の情報を正確に把握することができる。
【０１１８】
また、体表温度検出部４をケーシング２の正面側に配置すると共に、外気温度検出部２１はケーシング２の背面側に配置したから、ケーシング２を挟んで体表温度検出部４と外気温度検出部２１とを反対側に配置することができ、体表温度検出部４が使用者Ｈの体表（皮膚）に接触したときには、外気温度検出部２１を使用者Ｈの体表に対して確実に非接触な状態にでき、外気温度検出部２１によって外気温度を正確に検出することができる。
【０１１９】
さらに、外気温度検出部２１をクリップ３によって覆うから、寝返り時等に外気温度検出部２１が腕等に接触するのをクリップ３によって防ぐことができ、外気温度検出データＴaの信頼性を高めることができる。また、クリップ３によって外気温度検出部２１を保護することができるから、外気温度検出部２１の破損を防止でき、信頼性、耐久性を高めることができる。
【０１２０】
また、コントロールユニット２５は開始時刻ｔ1から終了時刻ｔ2までの間に亘って体表温度検出部４から検出データＴsを読込むと共に、外気温度検出部２１から検出データＴaを読込む構成としたから、コントロールユニット２５は、予め設定された深夜等の開始時刻ｔ1から起床前の終了時刻ｔ2までの間に亘って一定の時間間隔Δｔ毎に検出データＴs，Ｔaを読込むことができ、記憶部２６はこの検出データＴs，Ｔaに基づいて就寝中の複数の体表温度情報（差分値ΔＴs）および外気温度情報（差分値ΔＴa）を自動的に記憶することができる。さらに、コントロールユニット２５はタイマ２７を備えるから、検出データＴs，Ｔaを読込んだ時刻を検出データＴs，Ｔaと一緒に記憶することもできる。
【０１２１】
また、記憶部２６には基準温度数値Ｔ0と検出データＴsの数値との差分値ΔＴsを体表温度情報として記録すると共に、基準温度数値Ｔ0と検出データＴaの数値との差分値ΔＴaを外気温度情報として記録する構成としたから、例えば基準温度数値Ｔ0を使用者Ｈの平均的な腹部Ａの体表温度に設定することによって、就寝中の体温の変動分だけを体表温度情報や外気温度情報記憶することができる。この結果、記憶する体表温度情報や外気温度情報のデータ量を低減でき、ＲＡＭ等の記憶素子の容量を小さくし、装置全体を小型化、低コスト化できると共に、記憶する体表温度情報および外気温度情報を増加させることができる。
【０１２２】
また、ケーシング２には、記憶部２６に記憶した体表温度情報（差分値ΔＴs）および外気温度情報（差分値ΔＴa）を外部に出力する接続部９を設けたから、接続部９を介して外部情報機器１０に体表温度情報および外気温度情報を出力することができると共に、該外部情報機器１０をネットワーク網に接続することによって、外部のサーバコンピュータ等を用いて体表温度情報および外気温度情報の分析を行うことができ、使用者は各種のサービスを受けることができる。
【０１２３】
なお、前記第２の実施の形態では、図１６中のステップ３〜７が代表温度特定手段の具体例を示している。また、図１６中のステップ３が温度情報修正手段の具体例を示し、ステップ４が変動幅演算手段の具体例を示し、ステップ５が熱平衡状態判定手段の具体例を示し、ステップ６が代表温度候補抽出手段の具体例を示し、ステップ７が代表温度選択手段の具体例を示している。ここで、図１６中のステップ３はステップ４，５の後に行われても構わない。
【０１２４】
また、第２の実施の形態では、ケーシング２の側面側（正面および背面を除いた他の面）からの外部に伝わる熱流束はないものと仮定したが、このような仮定を成立させるために、例えば図１３中に二点鎖線で示すようにケーシング２の側面側には断熱材や、外気と遮断された空気層を断熱手段２８として設ける構成としてもよい。
【０１２５】
また、前記第１，第２の実施の形態では、身体温度情報端末装置１と外部情報機器１０とを接続する中継ケーブル１１の途中にデータ変換用の通信仲介装置１２を接続するものとした。しかし、本発明はこれに限らず、図１８に示す第１の変形例のように、端末装置１と外部情報機器１０とでデータ変換が不要な場合には、中継ケーブル１１だけを用いて接続する構成としてもよい。
【０１２６】
また、データ変換が不要な場合には、温度情報出力手段として外部情報機器１０の既存のコネクタに接続可能なコネクタ１３を採用することによって、図１９に示す第２の変形例のように、端末装置１と外部情報機器１０とを直接接続する構成としてもよい。
【０１２７】
また、前記第１，第２の実施の形態では、端末装置１と外部情報機器１０との間を中継ケーブル１１を用いて有線接続するものとした。しかし、本発明はこれに限らず、例えば図２０に示す第３の変形例のように、超音波、赤外線、電磁波、磁気誘導、静電誘導等を用いて無線接続する構成としてもよい。この場合、例えば電磁波等を放射する内蔵のアンテナ１４等によって温度情報出力手段を構成するものである。
【０１２８】
また、端末装置１と外部情報機器１０とを磁気誘導等を用いて無線接続する場合には、図２１に示す第４の変形例のように、ケーシング２内に温度情報出力手段として磁気誘導用のコイル部材１５を取付けると共に、端末装置１のケーシング２を磁気誘導用の端子を内蔵した通信仲介装置１６に載置することによって端末装置１と外部情報機器１０とを接続してもよい。この場合、通信仲介装置１６はデータ変換機能を備える構成としてもよく、通信仲介装置１６と外部情報機器１０との間は例えば中継ケーブル１７を用いて接続する構成とするものである。
【０１２９】
さらに、前記第１，第２の実施の形態では、体表温度検出部４のカバー部材４Ａと測温素子４Ｂとの間に熱伝導部材としての熱伝導シート４Ｃを挟む構成とした。しかし、本発明はこれに限らず、例えば図２２に示す第５の変形例のように、例えばカバー部材４Ａと測温素子４Ｂとの間には熱伝導部材として熱伝導性を有する例えばシリコン系の熱伝導材料１８を充填する構成としてもよい。また、カバー部材４Ａに表面側が覆われた測温素子４Ｂに対して、その背面側を断熱部材１９によって覆う構成としてもよい。これにより、体表の熱は確実に測温素子４Ｂに伝達できると共に、伝わった熱が測温素子４Ｂの背面側から逃げるのを防ぐことができ、正確な体表の温度を検出することができる。
【０１３０】
また、前記第１，第２の実施の形態では、ケーシング２を腹部Ａに装着するための装着手段としてクリップ３を用いる構成とした。しかし、本発明はこれに限らず、例えば装着手段として下着Ｂにピン止めが可能な安全ピン等を用いる構成としてもよい。また、ケーシング２は下着Ｂを用いて装着する場合に限らず、ケーシング２に装着手段として例えばベルト等を取付けることによって、該ベルトを用いてケーシング２を身体に装着する構成としてもよい。
【０１３１】
次に、図２３および図２４は第３の実施の形態を示し、本実施の形態の特徴は、体表温度検出部をメッシュ状のシート部材によって覆う構成としたことにある。なお、本実施の形態では、第１の実施の形態と同様の構成要素に同一の符号を付し、その説明を省略するものとする。
【０１３２】
３１はケーシング２の正面側に取付けられたメッシュ状のシート部材で、該シート部材３１は、接触感に優れた例えばガーゼ等の布材料によって形成されている。そして、シート部材３１は、その周縁部側が例えば粘着テープ等の保持手段（図示せず）によってケーシング２の表面に固定され、体表温度検出部４のカバー部材４Ａを覆っている。
【０１３３】
かくして、本実施の形態でも前記第１の実施の形態とほぼ同様の作用効果を得ることができるが、本実施の形態では、体表温度検出部４のカバー部材４Ａをシート部材３１によって覆ったから、就寝時でも端末装置１の装着による違和感を非常に少なくすることができ、長期間に亘る毎日の使用を無理なく行うことができる。
【０１３４】
なお、本実施の形態では、メッシュ状のシート部材３１はケーシング２のうち体表温度検出部４の周囲だけを覆う構成としたが、例えばメッシュ状のシート部材を袋状に形成することによって、この袋状のシート部材内にケーシング２全体を収容する構成としてもよい。また、本実施の形態では第１の実施の形態による端末装置１の体表温度検出部４をシート部材３１によって覆う構成としたが、第２の実施の形態による端末装置１の体表温度検出部４をシート部材３１によって覆う構成としてもよい。
【０１３５】
次に、図２５は本発明の第４の実施の形態による身体温度情報処理システムを示し、本実施の形態の特徴は、身体温度情報端末装置を外部情報機器を介してネットワーク網に接続し、外部のサーバコンピュータ等によって体表温度情報の分析を行い、使用者Ｈに対してこの分析結果を視覚情報および／または音声情報として提供することにある。なお、本実施の形態では、第１の実施の形態と同様の構成要素に同一の符号を付し、その説明を省略するものとする。
【０１３６】
４１は第１ないし第３の実施の形態のうちいずれかの身体温度情報端末装置１および外部情報機器１０等と共に身体温度情報処理システムを構成するサーバコンピュータ等の外部情報処理装置で、該外部情報処理装置４１は、インターネット等のネットワーク網４２を介して携帯電話等の外部情報機器１０に接続されている。そして、外部情報処理装置４１は、端末装置１から出力される体表温度情報を分析し、その分析結果を外部情報機器１０等に出力するプログラムを作動させ、温度情報取得手段、分析手段および分析結果出力手段として機能するものである。
【０１３７】
本実施の形態による身体温度情報処理システムは上述の如き構成を有するもので、次にその動作について説明する。
【０１３８】
まず、使用者Ｈは１日分または数日分の体温情報が記憶された身体温度情報端末装置１を通信仲介装置１６等を介して外部情報機器１０に接続する。そして、使用者Ｈは、外部情報機器１０をネットワーク網４２を介して外部情報処理装置４１に接続し、外部情報機器１０から外部情報処理装置４１に対して体表温度情報の分析を指示する信号を送信する。
【０１３９】
これにより、外部情報処理装置４１は、外部情報機器１０からの指示に応じて端末装置１から温度情報出力手段として磁気誘導用のコイル部材１５等を用いて体表温度情報や外気温度情報を取得し、第１または第２の実施の形態によるコントロールユニット６，２５とほぼ同様の演算処理を行うことによって、この取得した体表温度情報や外気温度情報を分析して基礎体温に応じた身体温度（代表温度Ｔd）を算出する。このとき、使用者Ｈの身体温度の情報を例えば３ヶ月分程度まで予め外部情報処理装置４１等に記憶しておくことによって、日毎の基礎体温の変動を知ることができる。このため、外部情報処理装置４１は、取得した体表温度情報を測定した日の基礎体温や数日間から数ヶ月間の基礎体温の変動の基づく例えば女性の月経周期や女性ホルモンバランス情報等の分析結果を得ることができる。
【０１４０】
最後に、外部情報処理装置４１は、体表温度情報等の分析結果を文字情報、基礎体温の変動を示すグラフ等の図形情報、音声情報等として外部情報機器１０に出力する。これにより、使用者Ｈは当日の基礎体温や月経周期を認識できると共に、分析結果を体調管理や健康管理に役立てることができる。
【０１４１】
かくして、本実施の形態でも前記第１の実施の形態や第２の実施の形態と同様の作用効果を得ることができるが、本実施の形態では、本発明による身体温度情報端末装置１を用いるから、他の体温計等を用いた場合に比べて、長期間に亘って無理なく、かつ正確に体温（体表温度情報）を計測することができる。そして、このように計測した体表温度情報をネットワーク網４２に接続された外部情報処理装置４１によって分析する構成としたから、端末装置１を体温の計測、記憶にのみ用いることができ、小型化、軽量化を図ることができ、就寝中の常時装着が容易になる。一方、外部情報処理装置４１は、端末装置１が記録した体表温度情報や外気温度情報を用いるから、基礎体温の変動を正確に算出することができ、従来技術に比べて正確な月経周期等の分析結果を使用者Ｈに伝えることができる。特に、分析結果を聴覚的に出力した場合には、視覚障害者に対しても認識可能な情報を提供することができる。
【０１４２】
なお、分析結果の出力先（送信先）は外部情報機器１０に限らず、使用者Ｈに要求に応じて例えば使用者Ｈの携帯電話等であってもよい。
【０１４３】
また、外部情報処理装置４１は、使用者Ｈとの間で予め体表温度情報の分析に関する契約手続を行う、または体表温度情報の分析を指示する毎にネットワーク網４２を介して契約手続を行うことによって、分析結果を取得した使用者Ｈから利用料金を徴収する構成としてもよい。
【０１４４】
さらに、前記各実施の形態では、主として成人女性の使用者に端末装置１を装着するものとして説明した。しかし、本発明はこれに限らず、例えば自ら体温測定が困難な新生児、幼児、介護老人、動物等に端末装置１を装着する構成としてもよい。これにより、新生児等の身体温度の変動を把握して健康状態等を判別できると共に、疾病時の身体温度の急激な変動による体調変化を把握でき、さらには不慮の事態による死亡推定時刻の把握にも役立てることができる。
【０１４５】
【発明の効果】
以上詳述した如く、請求項１の発明によれば、身体に常時装着可能なケーシングには、体表温度検出手段による体表検出データを一定の時間間隔で読込むデータ読込み手段を設けると共に、該データ読込み手段よって読込んだ体表検出データに基づく体表温度情報を記憶する記憶手段を設ける構成としたから、使用者はケーシングを身体に装着した状態で就寝することができ、起床中に比べて体温が安定している就寝中の体温を測定することができる。また、データ読込み手段は、一定の時間間隔毎に体表温度検出手段による体表温度検出データを読込み、記憶手段はこの検出データに基づいた体表温度情報を記憶するから、就寝中の体温に対応した体表温度情報を用いることによって使用者の基礎体温に応じた身体温度を正確に求めることができると共に、基礎体温の変動幅や月経周期を正確に把握することができる。
【０１４６】
即ち、本発明によれば、端末内に測定したい時刻を就寝中である深夜または早朝に設定しておくことにより、翌朝目覚めた任意の時間には所望の時刻の変位がすでに内部に記録されているため、基礎体温の日ごとの変動を数ヶ月間に亘って追跡記録することは非常に容易になり、簡便に女性の月経周期やホルモンバランスのリズムを知る手掛かりを得ることができる。この結果、思春期から閉経期までのすべての女性が簡便に利用でき、従来妊娠や避妊の目的以外にはあまり利用されることのなかった基礎体温計測を、女性ホルモンバランス情報を利用した健康管理の有効な手段とすることができる。
【０１４７】
請求項２の発明によれば、ケーシングには装着手段を設けたから、例えば腹部等のように体温変動が反映され易い内臓の近くにあり、外気温度変動に影響され難く部位に体表温度検出手段を接触させることができるから、正確な体表の温度を検出することができる。特に、ケーシングを腹部に装着したときには、下着によってケーシングを覆うことができ、外気温度変動の影響をより軽減できると共に、身体の他の部位に装着したときに比べて、就寝中にケーシングが測定部位から位置ずれし難くなるため、位置ずれによる測定誤差も軽減することができ、検出精度を高めることができる。
【０１４８】
請求項３の発明によれば、データ読込み手段は開始時刻から終了時刻までの間に亘って体表温度検出手段から体表温度検出データを読込む構成としたから、データ読込み手段は、予め設定された深夜等の開始時刻から起床前の終了時刻までの間に亘って一定の時間間隔毎に体表温度検出データを読込むことができ、記憶手段はこの検出データに基づいて就寝中の複数の温度情報を自動的に記憶することができる。さらに、データ読込み手段はタイマを備えるから、体表温度検出データを読込んだ時刻を検出データと一緒に記憶することもできる。
【０１４９】
また、代表温度選択手段は複数の体表温度情報のうちで最高温度となるものを選択するから、使用者の体温によって体表温度検出手段が十分に温められた状態での体表温度情報を例えば就寝中の代表温度として特定することができ、代表温度の信頼性を高めることができる。
【０１５０】
請求項４の発明によれば、ケーシングには外気の温度を検出する外気温度検出手段を設けたから、体表温度検出手段によって体表の温度を検出するのに加えて、外気温度検出手段によって外気の温度を検出することができる。そして、データ読込み手段は体表温度検出データと外気温度検出データとを一定の時間間隔で一緒に読込み、記憶手段は体表温度検出データによる体表温度情報と外気温度検出データによる外気温度情報とを記憶するから、体表温度情報が外気の影響によって変動する場合であっても、外気温度検出データを用いて体表温度情報を修正することができる。
【０１５１】
この場合、請求項５の発明のように、ケーシングには外気温度情報を用いて体表温度情報を修正した修正温度情報を演算する温度情報修正手段を設ける構成としてもよい。
【０１５２】
請求項６の発明によれば、外気温度情報を用いて外部環境が一定状態の体表温度情報を修正温度情報として演算するから、例えば使用者が旅行等によって外気温度が著しく異なる場所に移動したときでも、外部環境の変化に影響されず、正確な修正温度情報を算出し、この修正温度情報を用いて基礎体温に対応した正確な代表温度を特定することができる。
【０１５３】
また、熱平衡状態判定手段は、体表温度情報の時間的変動幅と外気温度情報の時間的変動幅とを用いてケーシング等が熱平衡状態にあるか否かを判定し、熱平衡状態のみの修正温度情報を代表温度候補として抽出し、これらの代表温度候補のうちで最高温度となるものを代表温度として選択するから、使用者の体温によってケーシング、体表温度検出手段等が十分に温められた熱平衡状態の修正温度情報を就寝した日の代表温度として特定することができる。このため、代表温度を使用者の身体温度（基礎体温）に正確に対応させることができるから、代表温度を用いて基礎体温の変化に基づく月経周期等の情報を正確に把握することができる。
【０１５４】
請求項７の発明によれば、体表温度検出手段は体表に接触可能なケーシングの正面側に配置し、外気温度検出手段はケーシングの背面側に配置する構成としたから、ケーシングを挟んで体表温度検出手段と外気温度検出手段とを反対側に配置することができ、体表温度検出手段が使用者の体表に接触したときには、外気温度検出手段を使用者の体表に対して確実に非接触な状態にでき、外気温度検出手段によって外気温度を正確に検出することができる。
【０１５５】
また、外気温度検出手段をクリップによって覆うから、寝返り時等に外気温度検出手段が腕等に接触するのをクリップによって防ぐことができ、外気温度検出データの信頼性を高めることができる。また、クリップによって外気温度検出手段を保護することができるから、外気温度検出手段の破損を防止でき、信頼性、耐久性を高めることができる。
【０１５６】
請求項８の発明によれば、記憶手段には基準温度数値と体表温度検出データの数値との差分値を体表温度情報として記録し、基準温度数値と外気温度検出データの数値との差分値を外気温度情報として記録する構成としたから、例えば基準温度数値を使用者の平均的な体表温度に設定することによって、測定中の体温の変動分（±３．０℃程度）だけを体表温度情報または外気温度情報として記憶することができる。この結果、例えば３６．４０℃程度の体温の絶対値を記憶するのに比べて、記憶する各温度情報のデータ量を削減でき、ＲＡＭ等の記憶素子の容量を小さくし、装置全体を小型化、低コスト化できると共に、記憶する体表温度情報および外気温度情報を増加させることができる。
【０１５７】
請求項９の発明によれば、基準温度数値を外部から更新可能な構成としたから、平均的な体表温度の個人差に応じて基準温度数値を設定でき、使用者毎に体表温度の平均値が異なる場合でも、体温の変動分だけを温度情報として記憶し、温度情報のデータ量を低減することができる。
【０１５８】
請求項１０に発明によれば、ケーシングには、記憶手段に記憶した体表温度情報および外気温度情報を外部に出力する温度情報出力手段を設けたから、温度情報出力手段を介して外部情報機器に体表温度情報および外気温度情報を出力することができると共に、該外部情報機器をネットワーク網に接続することによって、外部のサーバコンピュータ等を用いて体表温度情報および外気温度情報の分析等を行うことができ、使用者はこれらの温度情報に基づく各種のサービスを受けることができる。
【０１５９】
請求項１１の発明によれば、体表温度検出手段はメッシュ状のシート部材によって覆う構成としたから、例えば腹部皮膚表面に体表温度検出手段を接触させたときでも、就寝中の装着による違和感を軽減でき、長期間に亘る毎日の記録を使用者に無理を強いることなく行うことができる。
【０１６０】
請求項１２の発明によれば、体表温度検出手段は、ケーシングから突出したカバー部材と、該カバー部材によって覆われた測温素子と、該測温素子とカバー部材との間に設けられた熱伝導部材とによって構成したから、ケーシングから突出したカバー部材を体表に容易に接触させることができると共に、体表の温度をカバー部材と熱伝導部材を通じて測温素子に低損失で伝達でき、測温素子を用いて体表の温度を正確に検出することができる。
【０１６１】
請求項１３の発明によれば、本発明による身体温度情報端末装置を用いて体表温度情報の分析を行うから、従来技術に比べて、長期間に亘って無理なく、かつ正確に使用者の体表温度情報を記録することができる。そして、この体表温度情報を分析手段を用いて分析する構成としたから、基礎体温の変動を正確に算出することができ、使用者に対して従来技術に比べて正確な月経周期等の分析結果を使用者に伝えることができ、分析結果を体調管理や健康管理に役立てることができる。また、分析結果を聴覚的に出力した場合には、視覚障害者に対しても認識可能が情報を提供することができる。
【０１６２】
また、分析手段は複数の体表温度情報のうちで最高温度となるものを選択するから、使用者の体温によって体表温度検出手段が十分に温められた状態での体表温度情報を例えば就寝中の代表温度として特定することができ、代表温度の信頼性を高めることができる。この結果、分析手段は、このように特定した代表温度を用いて例えば女性の月経周期や女性ホルモンバランス情報等を正確に分析することができる。
【０１６３】
請求項１４の発明によれば、身体温度情報端末装置の記憶手段は体表温度情報と外気温度情報とを記憶すると共に、温度情報取得手段を用いて身体温度情報端末装置の記憶手段に記憶した体表温度情報と外気温度情報を取得し、分析手段を用いてこれらの体表温度情報と外気温度情報を分析する構成としたから、分析結果出力手段を用いて、例えば女性の月経周期や女性ホルモンバランス情報等の分析結果を視覚的または聴覚的に外部の携帯電話等に出力することができる。
【０１６４】
請求項１５の発明によれば、分析手段は外気温度情報を用いて体表温度情報を修正した修正温度情報を演算する温度情報修正手段を備える構成としたから、体表温度情報が外気の影響によって変動する場合であっても、温度情報修正手段は外気温度検出データを用いて体表温度情報を修正することができる。
【０１６５】
請求項１６の発明によれば、熱平衡状態判定手段は体表温度情報の時間的変動幅と外気温度情報の時間的変動幅とを用いてケーシング等が熱平衡状態にあるか否かを判定し、代表温度候補抽出手段は熱平衡状態の修正温度情報を代表温度候補として抽出すると共に、代表温度選択手段はこの代表温度候補のうちで最高温度となるものを選択する構成としたから、使用者の体温によってケーシング、体表温度検出手段等が十分に温められた熱平衡状態の修正温度情報を例えば就寝中の代表温度として特定することができ、代表温度を使用者の身体温度（基礎体温）に正確に対応させることができる。この結果、分析手段は、このように特定した代表温度を用いて例えば女性の月経周期や女性ホルモンバランス情報等を正確に分析することができる。
【０１６６】
この場合、請求項１７の発明のように、分析結果出力手段による分析結果を取得した使用者から利用料金を徴収してもよい。
【図面の簡単な説明】
【図１】本発明の第１の実施の形態による身体温度情報端末装置を使用者が装着した状態を示す外観図である。
【図２】図１中の身体温度情報端末装置を単体で示す斜視図である。
【図３】図２中の身体温度情報端末装置を示す正面図である。
【図４】図２中の身体温度情報端末装置を示す平面図である。
【図５】図２中の身体温度情報端末装置を示す右側面図である。
【図６】第１の実施の形態による身体温度情報端末装置を腹部と下着との間に取付けた状態を示す説明図である。
【図７】温度検出部を図２中の矢示VII−VII方向から拡大してみた拡大断面図である。
【図８】コントロールユニットに体表温度検出部と接続部を接続した状態を示すブロック図である。
【図９】第１の実施の形態による身体温度情報端末装置を外部情報機器に接続した状態を示す斜視図である。
【図１０】第２の実施の形態による身体温度情報端末装置を単体で示す斜視図である。
【図１１】図１０中の身体温度情報端末装置を示す正面図である。
【図１２】図１０中の身体温度情報端末装置を示す平面図である。
【図１３】図１０中の身体温度情報端末装置を示す右側面図である。
【図１４】コントロールユニットに表示部、入力部、体表温度検出部、外気温度検出部および接続部を接続した状態を示すブロック図である。
【図１５】図１０中の身体温度情報端末装置を使用者の腹部に接触させた状態を模式的に示す右側面図である。
【図１６】図１４中のコントロールユニットによって作動する代表温度特定プログラムを示す流れ図である。
【図１７】検出時刻と体表温度検出データ、外気温度検出データ、修正体表温度、温度平衡指数との関係を示す特性線図である。
【図１８】第１の変形例による身体温度情報端末装置を外部情報機器に接続した状態を示す斜視図である。
【図１９】第２の変形例による身体温度情報端末装置を外部情報機器に接続した状態を示す斜視図である。
【図２０】第３の変形例による身体温度情報端末装置を外部情報機器に接続した状態を示す斜視図である。
【図２１】第４の変形例による身体温度情報端末装置を外部情報機器に接続した状態を示す斜視図である。
【図２２】第５の変形例による温度検出部を図７と同様位置からみた拡大断面図である。
【図２３】第３の実施の形態による身体温度情報端末装置を示す正面図である。
【図２４】図２３中の身体温度情報端末装置を示す右側面図である。
【図２５】第４の実施の形態による身体温度情報処理システムを示す説明図である。
【符号の説明】
１  身体温度情報端末装置
２  ケーシング
３  クリップ（装着手段）
４  体表温度検出部（体表温度検出手段）
４Ａ  カバー部材
４Ｂ  測温素子
４Ｃ  熱伝導シート（熱伝導部材）
６，２５  コントロールユニット（データ読込み手段、代表温度選択手段、代表温度特定手段）
７，２６  記憶部（記憶手段）
８，２７  タイマ
９  接続部（温度情報出力手段）
１０  外部情報機器
１３  コネクタ（温度情報出力手段）
１４  アンテナ（温度情報出力手段）
１５  コイル部材（温度情報出力手段）
１８  熱伝導材料（熱伝導部材）
２１  外気温度検出部（外気温度検出手段）
２２  表示部
２３  入力部
３１  シート部材
４１  外部情報処理装置（温度情報取得手段、分析手段、分析結果出力手段）
４２  ネットワーク網
Ａ  腹部
Ｂ  下着
Ｈ  使用者
【図１】
2004163391.tif 000007
【図２】
2004163391.tif 000008
【図３】
2004163391.tif 000009
【図４】
2004163391.tif 000010
【図５】
2004163391.tif 000011
【図６】
2004163391.tif 000012
【図７】
2004163391.tif 000013
【図８】
2004163391.tif 000014
【図９】
2004163391.tif 000015
【図１０】
2004163391.tif 000016
【図１１】
2004163391.tif 000017
【図１２】
2004163391.tif 000018
【図１３】
2004163391.tif 000019
【図１４】
2004163391.tif 000020
【図１５】
2004163391.tif 000021
【図１６】
2004163391.tif 000022
【図１７】
2004163391.tif 000023
【図１８】
2004163391.tif 000024
【図１９】
2004163391.tif 000025
【図２０】
2004163391.tif 000026
【図２１】
2004163391.tif 000027
【図２２】
2004163391.tif 000028
【図２３】
2004163391.tif 000029
【図２４】
2004163391.tif 000030
【図２５】
2004163391.tif 000031